(57)【特許請求の範囲】
【請求項１】
携帯端末との通信機能を有する情報処理装置であって、
前記情報処理装置において実行された複数のジョブの履歴を記憶する記憶手段と、
前記記憶手段によって記憶された前記複数のジョブの履歴を表示させる表示手段と、
前記複数のジョブの夫々について、前記携帯端末から入力された情報に基づくジョブであるか、前記情報処理装置の操作部から入力された情報に基づくジョブであるかを判定する判定手段と、
前記判定手段による判定結果に基づいて、前記表示手段が表示させる前記複数のジョブの履歴の内、前記携帯端末から入力された情報に基づくジョブの履歴の少なくとも一部の情報を表示させないように制御し、前記情報処理装置の操作部から入力された情報に基づくジョブの履歴の前記少なくとも一部の情報を表示させるように制御する表示制御手段と、
を有することを特徴とする情報処理装置。
【請求項２】
前記表示制御手段によって表示させないように制御される情報は、前記携帯端末から入力された情報に基づくジョブを特定するための情報であることを特徴とする請求項１に記載の情報処理装置。
【請求項３】
前記携帯端末から入力された情報に基づくジョブの履歴を前記記憶手段に記憶させるか否かを設定するためのログ登録設定手段を更に有することを特徴とする請求項１又は２に記載の情報処理装置。
【請求項４】
前記記憶手段に記憶した前記ジョブの履歴の内、通信中の携帯端末から入力された情報に基づくジョブの履歴を当該携帯端末に送信して表示させるログ表示手段を更に有することを特徴とする請求項１乃至３のいずれか１項に記載の情報処理装置。
【請求項５】
前記ログ表示手段は、前記記憶手段に記憶した前記ジョブの履歴の内、通信中の携帯端末で、前記情報処理装置から最も近い距離にある携帯端末から入力された情報に基づくジョブの履歴を当該携帯端末に送信して表示させることを特徴とする請求項４に記載の情報処理装置。
【請求項６】
前記ログ表示手段は、前記記憶手段に記憶した前記ジョブの履歴の内、通信中の携帯端末で、最近に実行したジョブの履歴を当該携帯端末に送信して表示させることを特徴とする請求項４に記載の情報処理装置。
【請求項７】
前記記憶手段に記憶された前記ジョブの履歴を削除する削除手段と、
前記削除手段が前記ジョブの履歴を削除するための条件を設定する削除設定手段と、
を更に有することを特徴とする請求項１乃至６のいずれか１項に記載の情報処理装置。
【請求項８】
前記表示制御手段は、前記記憶手段に記憶した前記ジョブの履歴の内、通信中の携帯端末から入力された情報に基づくジョブの履歴を表示させることを特徴とする請求項１乃至７のいずれか１項に記載の情報処理装置。
【請求項９】
前記携帯端末から入力された情報に基づくジョブの履歴の前記少なくとも一部の情報を非表示にするか否かを設定する設定手段を更に有することを特徴とする請求項１乃至８のいずれか１項に記載の情報処理装置。
【請求項１０】
前記情報処理装置によって実行されるジョブは、印刷ジョブであり、
前記表示制御手段により表示させないように制御される情報は、印刷データの取得先を示す情報であることを特徴とする請求項１乃至９のいずれか１項に記載の情報処理装置。
【請求項１１】
前記印刷データの取得先を示す情報は、ＷｅｂコンテンツのＵＲＬであることを特徴とする請求項１０に記載の情報処理装置。
【請求項１２】
携帯端末との通信機能を有する情報処理装置の制御方法であって、
前記情報処理装置において実行された複数のジョブの履歴を記憶する記憶工程と、
前記記憶工程で記憶された前記複数のジョブの履歴を表示させる表示工程と、
前記複数のジョブの夫々について、前記携帯端末から入力された情報に基づくジョブであるか、前記情報処理装置の操作部から入力された情報に基づくジョブであるかを判定する判定工程と、
前記判定工程における判定結果に基づいて、前記表示工程において表示させる前記ジョブの履歴の内、前記携帯端末から入力された情報に基づくジョブの履歴の少なくとも一部の情報を表示させないように制御し、前記情報処理装置の操作部から入力された情報に基づくジョブの履歴の前記少なくとも一部の情報を表示させるように制御する表示制御工程と、
を有することを特徴とする情報処理装置の制御方法。
【請求項１３】
コンピュータを、携帯端末との通信機能を有する情報処理装置として機能させるためのプログラムであって、前記コンピュータを、
前記情報処理装置において実行された複数のジョブの履歴を記憶する記憶手段と、
前記記憶手段によって記憶された前記複数のジョブの履歴を表示させる表示手段と、
前記複数のジョブの夫々について、前記携帯端末から入力された情報に基づくジョブであるか、前記情報処理装置の操作部から入力された情報に基づくジョブであるかを判定する判定手段と、
前記判定手段による判定結果に基づいて、前記表示手段が表示させる前記複数のジョブの履歴の内、前記携帯端末から入力された情報に基づくジョブの履歴の少なくとも一部の情報を表示させないように制御し、前記情報処理装置の操作部から入力された情報に基づくジョブの履歴の前記少なくとも一部の情報を表示させるように制御する表示制御手段と、
を有する情報処理装置として機能させるためのプログラム。
【発明の詳細な説明】
【技術分野】
【０００１】
本発明は、情報処理装置と携帯端末との間の通信に関する情報を携帯端末、或いは情報処理装置に表示する技術に関する。
【背景技術】
【０００２】
近年、コンビニエンスストア、コピーショップ等でコピーやＦＡＸなどのサービスを提供するサービス提供システムが普及している。このようなサービス提供システムでは、ユーザの利便性を損うことなく、サービスを利用するユーザの個人情報が他のユーザに漏れることを未然に防止して、ユーザによるサービスの利用頻度を高めている。
【０００３】
このようなサービス提供システムでは、プリンタ、スキャナ、ファクシミリ機能を有する複合機が用いられる。特許文献１には、このような複合機が提供するデータ送信サービスを利用する際、ユーザの会員カードをカードリーダで読み取り、その会員カードから読み取られたユーザのＩＤとパスワード及びその有効期限とに基づいて、そのユーザの認証が行われる。こうしてユーザが認証されて初めて、そのユーザに対する操作許可が与えられることが記載されている。
【先行技術文献】
【特許文献】
【０００４】
【特許文献１】特開２００３−２３３７２５号公報
【発明の概要】
【発明が解決しようとする課題】
【０００５】
携帯端末との通信機能を持つＭＦＰには、携帯端末のアプリケーションに登録されているＵＲＬを受取って、そこから印刷対象のページを読み出し、その読み出したページを印刷するサービスを提供できるものがある。このような複合機は、オフィス、コンビニエンスストア、駅のホーム、待合室などの不特定多数の人が操作可能な場所に設置されていることが多い。この複合機に記憶されているアクセス履歴は、プリントジョブの実施結果を示し、携帯端末がＭＦＰとの通信によりＵＲＬを入力し、その内容をプリントしたジョブの結果も含まれている。このアクセス履歴の表示には、この複合機のお気に入りに登録されているＵＲＬからのアクセス履歴と同様に、ユーザの携帯端末から入力された情報が表示されるため不特定多数の人の目に触れてしまう。このため、ユーザのサービス利用情報の秘匿性が図れないという課題があった。
【０００６】
本発明の目的は、上記従来技術の問題点を解決することにある。
【０００７】
本願発明の特徴は、携帯端末から入力した情報の秘匿性を実現する技術を提供することを目的とする。
【課題を解決するための手段】
【０００８】
上記目的を達成するために本発明の一態様に係る情報処理装置は以下のような構成を備える。即ち、
携帯端末との通信機能を有する情報処理装置であって、
前記情報処理装置において実行された複数のジョブの履歴を記憶する記憶手段と、
前記記憶手段によって記憶された前記複数のジョブの履歴を表示させる表示手段と、
前記複数のジョブの夫々について、前記携帯端末から入力された情報に基づくジョブであるか、前記情報処理装置の操作部から入力された情報に基づくジョブであるかを判定する判定手段と、
前記判定手段による判定結果に基づいて、前記表示手段が表示させる前記複数のジョブの履歴の内、前記携帯端末から入力された情報に基づくジョブの履歴の少なくとも一部の情報を表示させないように制御し、前記情報処理装置の操作部から入力された情報に基づくジョブの履歴の前記少なくとも一部の情報を表示させるように制御する表示制御手段と、
を有することを特徴とする。
【発明の効果】
【０００９】
本発明によれば、携帯端末から入力されたジョブの履歴の中で、その携帯端末のユーザ以外に見せたくない情報を秘匿できる。
【図面の簡単な説明】
【００１０】
【図１】本実施形態に係るシステムの構成を示す図。
【図２】本実施形態に係るＭＦＰの構成を示すブロック図。
【図３】本実施形態に係るＭＦＰのソフトウェア構成を示す図。
【図４】ＭＦＰが所有するネットワークプログラムの構成を説明する図。
【図５】本実施形態に係るＷｅｂサーバの概略構成を示すブロック図。
【図６】ＭＦＰ及び携帯端末で表示される履歴画面を説明するための図。
【図７】ＭＦＰのログ生成部で生成されたログ情報の一例を示す図。
【図８】携帯端末とのログ情報の登録、アクセス履歴の表示の設定を行うためのＵＩ画面例を示す図。
【図９】携帯端末とのアクセス履歴の表示設定及びログ情報の削除タイミング設定するためのＵＩ画面例を示す図。
【図１０】ＭＦＰにおいてログ情報を登録する処理を説明するフローチャート。
【図１１】図６のアクセス履歴画面を表示するＭＦＰの処理を説明するフローチャート（Ａ）と、Ｓ２０の処理を示すフローチャート（Ｂ）。
【図１２】アクセス履歴画面の表示内容は携帯端末と通信しているか否かで大きく影響することを示すフローチャートである。
【図１３】図１１（Ｂ）のＳ５０の処理を説明するフローチャート。
【図１４】図１３のＳ５５の処理を説明するフローチャート。
【図１５】図１１のＳ３０の処理を説明するフローチャート。
【図１６】図１５のＳ６２の処理を示すフローチャート。
【図１７】図１５のＳ６３のＭｙアクセス履歴画面の表示処理を示すフローチャート。
【図１８】ＭＦＰでアクセス履歴を削除する処理を説明するフローチャート。
【発明を実施するための形態】
【００１１】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。尚、本実施形態では、情報処理装置の一例として複合機を例にして説明するが、本発明はこれに限定されるものではない。
【００１２】
図１は、本実施形態に係るシステムの構成を示す図である。
【００１３】
複合機（ＭＦＰ）１００は、コピーショップ、コンビニエンスストア、ホテル、駅等の公共性が高い場所に設置されている。このＭＦＰ１００は、コピー機能、スキャナ機能、ファクシミリ機能、プリンタ機能、通信機能などを搭載してコピーサービス、ＦＡＸ送受信サービス、ネットプリントサービス等を提供できる。ネットプリントサービスは、Ｗｅｂサーバに投稿されたワープロ等で使用されるアプリケーションデータを印刷する機能を提供する。ＭＦＰ１００とＷｅｂサーバ１０２は、ネットワーク１０３を介して、対応するＷｅｂコンテンツの要求／応答が可能なように構成されてる。またＭＦＰ１００と携帯端末１０１とは通信可能で、携帯端末１０１は、ＭＦＰ１００に対して印刷したいＷｅｂコンテンツのＵＲＬを送信することができる。また携帯端末１０１は、ＷｅｂコンテンツのＭＦＰ１００でのプリント履歴情報をＭＦＰ１００から取得できる。
【００１４】
画面５０４は、携帯端末１０１が実施したＭＦＰ１００でのプリント履歴情報を携帯端末１０１のＭｙアクセス履歴画面で表示している画面例を示す。画面５０２は、ＭＦＰ１００が実施したプリント履歴情報を、ＭＦＰ１００のアクセス履歴画面で表示している画面例を示す。また画面５０３は、ＭＦＰ１００が実施したプリント履歴情報の中で特定のユーザの情報を表示している、ＭＦＰ１００のＭｙアクセス履歴画面の画面例を示す。画面５０２のアクセス履歴において、「携帯端末入力」は、携帯端末１０１によるアクセス履歴を示しており、ここでは携帯端末１０１から指示されたＵＲＬの表示が禁止されている。
【００１５】
図２は、本実施形態に係るＭＦＰ１００の構成を示すブロック図である。
【００１６】
ＣＰＵ１３０は、ＲＯＭ１３１に格納されているプログラムとＲＡＭ１３２を利用してこのＭＦＰ全体の制御を行う。操作部１３３は、液晶表示部とスタートキー、テンキーなどのハードキーを具備し、液晶表示部にソフトキーを表示し、ユーザが指でそのキーにタッチすることによりユーザの操作を受付けている。スキャナ１３４は、原稿の画像データを光電変換により電気データに変換する。スキャナ１３４は、原稿給送装置からプラテンガラス上に原稿が搬送されるとランプを点灯してスキャナユニットの移動を開始して原稿を露光走査する。原稿からの反射光は、ミラー、及びレンズによってＣＣＤセンサへ導かれて電気信号に変換され、Ａ／Ｄ変換回路によってデジタルデータに変換される。こうして原稿の読み取り動作が終了すると、その原稿は排紙される。
【００１７】
プリンタ部１３５は、画像データに基づいて記録紙に画像を印刷する。ここでは画像データに応じたレーザ光をレーザ発光部から発光させ、このレーザ光は感光ドラムを照射して感光ドラム上にレーザ光に応じた潜像を形成する。感光ドラムの潜像の部分には現像器によって現像剤（トナー）が付着され、レーザ光の照射開始と同期したタイミングで，給紙カセットから記録紙を給紙して転写部まで搬送し、感光ドラムに付着された現像剤を記録紙に転写する。こうして現像剤が転写された記録紙は定着部に搬送され、定着部の熱と圧力により記録紙に定者される。こうして定着部を通過した記録紙は、排出ローラによって排出され、ソータは排出された記録紙をそれぞれのビンに収納して記録紙の仕分けを行う。
【００１８】
画像処理回路１３６は、大容量の画像メモリ、画像回転回路、解像度変倍回路、ＭＨ，ＭＲ，ＭＭＲ，ＪＢＩＧ，ＪＰＥＧなどの符号化／復号化回路などを具備しており、シェーディング、トリミング、マスキングなどの各種画像処理も実行できる。ハードディスク１３７はＳＣＳＩ，ＩＤＥなどのインターフェースを介して接続されている大容量記憶媒体である。ネットワークＩ／Ｆ１３８は、１０ＢＡＳＥ−Ｔ，１００ＢＡＳＥ−Ｔを代表とするイーサネット(登録商標)或いはトークンリングなどのネットワーク回線と接続する。フォーマッタ部１３９は、ＰＤＬ（ページ記述言語）データより画像データを作成する。フォーマッタ部１３９は、ＩＥＥＥ１２８４準拠のパラレルインタフェース、ＵＳＢ等のシリアルインターフェイスのＰＣＩ／Ｆ１４２或いはネットワークＩ／Ｆ１３８で受信したパソコンからの画像データをレンダリングする。こうしてレンダリングした画像は、画像処理回路１３６で画像処理を行ってプリンタ１３５で印刷される。スキャナ１３４、プリンタ１３５、画像処理回路１３６、フォーマッタ部１３９は、ＣＰＵ１３０からのＣＰＵバスとは別の高速ビデオバスで接続され、画像データを高速に転送できるように構成されている。スキャナ１３４で読み取った画像データを画像処理回路１３６で画像処理を行いプリンタ１３５で読み取った画像を印刷することによりコピー機能が実現される。ログ情報１４４は、ＦＡＸ送信、コピー、プリントなどのサービス利用履歴の情報で、ハードディスク１３７に格納される。
【００１９】
図３は、ＭＦＰ１００が携帯端末１０１と連携してＷｅｂコンテンツを取得して印刷しログ情報を格納、閲覧するソフトウェア構成を示す図である。これらソフトウェアはＲＯＭ１３１に記憶されている。
【００２０】
操作画面入力部１５１は、操作部１３３の入力を制御する機能を有しており、ユーザが印刷したいＷｅｂコンテンツのＵＲＬ等を入力できる。携帯端末入力部１５２は、携帯端末１０１との通信により入力を受け付ける機能を実行しており、携帯端末１０１のユーザが印刷したいＷｅｂコンテンツのＵＲＬ等を取得できる。入力情報記憶部１５３は、操作画面入力部１５１と携帯端末入力部１５２から入力されたＵＲＬを記憶する機能を実行する。その他の記憶内容として、どこから入力された情報（携帯端末／ＭＦＰ登録／手入力）であるかを判別する入力情報や、携帯端末１０１からの情報のときは携帯端末を特定するＩＤ（端末ＩＤ）の記憶も実施している。尚、端末ＩＤは、図７のログ情報１４４を参照して後述する。
【００２１】
Ｗｅｂ情報取得部１５４は、入力情報記憶部１５３に記憶されたＵＲＬの情報をＷｅｂサーバ１０２からダウンロードして記憶する機能を実行する。プリントデータ作成部１５５は、Ｗｅｂ情報取得部１５４によってダウンロードされた情報を、フォーマッタ部１３９を利用してプリント可能なプリントデータに変換する機能を実行する。プリント依頼部１５６は、プリントデータ作成部１５５によって作成されたプリントデータをプリンタ１３５によりプリントさせる機能を実行する。
【００２２】
ログ生成部１５７は、プリント依頼部１５６によって実施した印刷が成功／失敗の結果情報や入力情報記憶部１５３に記憶されているＵＲＬ等の情報をまとめてログ情報１４４を作成する機能を実行する。ログ登録部１５８は、ログ生成部１５７で作成したログ情報１４４をハードディスク１３７等に格納する機能を実行する。ログ取得部１５９は、ログ登録部１５８によって登録されたログ情報１４４を取得する機能を実行する。ログ表示内容生成部１６０は、ログ取得部１５９によって取得したログ情報１４４を利用して、ＭＦＰ１００に、例えば画面５０２や画面５０３として、また携帯端末１０１に、例えば画面５０４のように表示するために情報を加工する機能を実行する。携帯端末ログ表示部１６１は、ログ表示内容生成部１６０によって加工された情報を、携帯端末１０１に、例えば画面５０４として表示する機能を実行する。操作画面ログ表示部１６２は、ログ表示内容生成部１６０で加工された情報を、ＭＦＰ１００の画面に、例えば、画面５０２や画面５０３として表示する機能を実行する。最短端末記憶部１６３は、ＭＦＰ１００に最短の距離に位置する携帯端末を、その携帯端末に固有な識別情報として端末ＩＤを記憶する機能を実行する。携帯端末検出部１６４は、ＭＦＰ１００と通信できる携帯端末を検出して、その端末ＩＤを取得する機能を実行する。現端末記憶部１６５は、今現在、ＭＦＰ１００と通信している携帯端末の端末ＩＤを記憶する機能を実行する。最新端末記憶部１６６は、現端末記憶部１６５に記憶されている端末ＩＤの中で一番最近にプリントを実施した携帯端末のＩＤを記憶する機能を実行する。
【００２３】
図４は、本実施形態に係るＭＦＰ１００が所有するネットワークプログラムの構成を説明する図である。
【００２４】
このプログラムは、ＩＰ２００、ＴＣＰ／ＵＤＰ２０１、アプリケーション層２０２の３階層に大別される。ＩＰ２００は、発信ホストから宛先ホストヘルータなどの中継ノードと連携しながらメッセージを送り届けるサービスを提供するインターネットのプロトコル階層である。ＩＰ２００ではデータを送信する発信先のアドレス、データを受信する宛先のアドレスを管理し、データをアドレス情報に従ってネットワーク内をどのような経路で宛先ホストまで届けるかを管理するルーティング機能を実行している。ＴＣＰ／ＵＤＰ２０１は、発信アプリケーションプロセスから受信アプリケーションプロセスにメッセージを送り届けるサービスを提供するトランスポート階層である。ＴＣＰはコネクション型サービスであって、通信の高度な信頼性を保証するが、ＵＤＰはコネクションレス型のサービスであり信頼性の保証を行わない。アプリケーション層２０２は、以下のような複数のプロトコルを有している。
【００２５】
ファイル転送サービスのＦＴＰ（File Transfer Protocol）
ネットワーク管理プロトコルのＳＮＭＰ
プリンタ印刷用のサーバプロトコルのＬＰＤ
ＷＷＷ（World Wide Web）サーバのプロトコルであるＨＴＴＰｄ
電子メール送受信プロトコルＳＭＴＰ（Simple Mail Transfer Protocol）
メールダウンロードプロトコルのＰＯＰ３（Post Office Protocol-Version 3）。
【００２６】
ユーザの電子メールアドレスなどを管理しディレクトリデータベースにアクセスするためのＬＤＡＰ（Lightweight Directory Access Protocol）
ＲＦＣ１５１０で規定されているKerberos認証プログラムも搭載されている。
【００２７】
図５は、本実施形態に係るＷｅｂサーバ１０２の概略構成を示すブロック図である。
【００２８】
ＣＰＵ３５１は、ＲＯＭ３５２或いはＲＡＭ３５３にロードされたプログラムを実行することにより各種制御を実現する。ＲＯＭ３５２には、例えばサーバの立上げ時に起動されるブートプログラムや、当該サーバの各種パラメータが記憶されている。ＲＡＭ３５３はメインメモリとして機能する。ディスプレイ３５４は、ＣＰＵ３５１の制御下で各種の表示を行う。例えば、図１により上述した帳票作成サーバでの伝票作成の編集処理はディスプレイ３５４上でなされる。ハードディスク３５５は二次記憶装置で、ＭＦＰ１００から収集したジョブログ情報、カウンタ情報や作成した伝票の情報を格納する。ネットワークインターフェース３５６は、ネットワークとの間のデータの送受信を制御する。入力部３５７は、例えばキーボード、ポインティングデバイスなどを含んでいる。システムバス３６０は、上述した各部とＣＰＵ３５１とを接続するバスである。
【００２９】
図６は、本実施形態に係るＭＦＰ１００及び携帯端末１０１で表示される履歴画面を説明するための図である。尚、図６（Ａ）は従来技術を説明する図、図６（Ｂ）〜（Ｃ）は、図１の画面例５０２〜５０４に対応する本実施形態に係る画面例を示している。
【００３０】
図６において、項目５９１は、アクセスがなされた日時を示す。項目５９２は、そのアクセス依頼がどこから行われたかを示す。例えば、携帯端末からの入力であれば「携帯端末入力」が表示される。またＭＦＰのお気に入りに登録されている内容に基づく場合は、操作部１３３での操作により操作画面入力部１５１が、予め登録されているＵＲＬを選択することにより入力される。これが「ＭＦＰお気に入り」として表示されている。「テキスト入力」は、ユーザが操作部１３３のソフトキー等を使用してＵＲＬを直接入力した場合を示す。項目５９３は、操作画面入力部１５１や携帯端末入力部１５２により入力された、情報の取得先を示すＵＲＬ等の情報を表示している。５１０乃至５１３は、アクセス履歴を時系列で表示している。
【００３１】
図６（Ａ）の画面５０１は、従来から表示されている画面例を示している。図６（Ａ）では、全てのアクセス履歴の全ての項目が表示されている。尚、アクセス履歴とは、ログ情報１４４の各々の履歴の内容を代替する表現である。
【００３２】
図６（Ｂ）の画面５０２は、本実施形態に係るＭＦＰ１００の操作部１３３に表示される画面例を示する。アクセス履歴５２０〜５２３は、図６（Ａ）のアクセス履歴５１０〜５１３に対応している。ここではアクセス履歴５２０，５２２の項目５９２が「携帯端末入力」であるため、項目５９３（情報の取得先）がマスクされて表示されている。
【００３３】
図６（Ｃ）の画面５０３は、携帯端末１０１と通信しているときにＭＦＰ１００の操作部１３３に表示されるＭｙアクセス履歴画面例を示し、その携帯端末１０１から依頼されたアクセス履歴だけを表示している。アクセス履歴５３０，５３１は、プリントしたアクセス履歴を時系列で表示している。
【００３４】
図６（Ｄ）の画面５０４は、ＭＦＰ１００と通信している携帯端末１０１に表示されるＭｙアクセス履歴画面例を示し、その携帯端末１０１から依頼したアクセス履歴だけが表示されている。アクセス履歴５４０，５４１は、プリントしたアクセス履歴を時系列で表示している。
【００３５】
図７は、ＭＦＰ１００のログ生成部１５７で生成されたログ情報の一例を示す図である。
【００３６】
項目６２０は、アクセス履歴を特定する管理番号を示す。項目６２１は、そのアクセス（印刷）が発生した日時を示す。項目６２２は、印刷が正常に実行されたか（ＯＫ）、異常で終了した（ＮＧ）かを示す。項目６２３は、項目６２４で後述する印刷対象の情報の場所を示すＵＲＬ情報がどこから入力されたかを示す。ここで「Ｋ」は、携帯端末からの入力を示し、「Ｆ」はＭＦＰ１００に登録されているお気に入りからの入力、「Ｔ」はＭＦＰ１００の入力フィールドからの入力を示す。項目６２４は、印刷対象の情報の場所を示すＵＲＬ情報である。このＵＲＬ情報により、Ｗｅｂサーバ１０２は、その印刷対象の情報を取得できる。このＵＲＬ情報は、印刷内容を割り出すことがきるので個人情報に関わる情報である。項目６２５は、携帯端末からの入力である場合に、その携帯端末を特定するＩＤである。６１０乃至６１３は、アクセスが発生した時系列に並べられたアクセス履歴（ログ情報）を示す。
【００３７】
図８（Ａ）〜（Ｃ）及び図９（Ａ）〜（Ｃ）は、ＭＦＰ１００の操作部１３３の表示部に表示されるＵＩ画面例を示す図である。
【００３８】
図８（Ａ）は、携帯端末ログ登録設定画面で、携帯端末１０１から入力されたＵＲＬの情報を印刷するときに、その携帯端末１０１からのアクセスをアクセス履歴として登録するか、しないかを設定する画面である。ここでＯＮボタンが選択されているときは、携帯端末からのアクセス履歴をログ情報１４４に記録し、ＯＦＦボタンが選択されているときは、携帯端末からのアクセス履歴をログ情報１４４に記録しない。
【００３９】
図８（Ｂ）は、携帯端末ＵＲＩ（ＵＲＬ）表示設定画面で、携帯端末１０１から入力されたＵＲＬの情報を表示するかしないかを設定する画面である。ここでＯＮボタンが選択されているときは、そのままアクセス履歴が表示される。ＯＦＦボタンが選択されているときは、携帯端末からのアクセス履歴のＵＲＬをマスクして表示する（ＵＲＬを表示しない）（図６（Ｂ））ことを示す。
【００４０】
図８（Ｃ）は、Ｍｙアクセス履歴切替え表示設定画面で、携帯端末１０１がＭＦＰ１００と通信状態にある場合に特化したユーザの情報のみ表示するか、全てのユーザの情報を表示する画面を表示するかを設定する。ＯＮボタンが選択されているときは、通信状態にある携帯端末のみのＭｙアクセス履歴画面を表示する（図６（Ｃ））。一方、ＯＦＦボタンが選択されているときは、図６（Ａ）のアクセス履歴画面（全表示）或いは図６（Ｂ）のアクセス履歴画面（制限表示）を表示する。
【００４１】
図９（Ａ）は、Ｍｙアクセス履歴を携帯端末に通知するかしないかを設定する画面で、ＭＦＰ１００が携帯端末１０１にログ情報のアクセス履歴を携帯端末ログ表示部１６１により伝えるか否かを設定する画面である。ここでＯＮボタンが選択されているときは、携帯端末１０１に、例えば図６（Ｄ）のログ情報を通知するように設定されていることを示す。またＯＦＦボタンが選択されているときは、携帯端末１０１にログ情報を通知しない設定を示す。
【００４２】
図９（Ｂ）は、最短携帯端末のアクセス履歴を表示するかしないを設定する画面で、ＭＦＰ１００が、ＭＦＰ１００に最も近くに位置している携帯端末１０１のアクセス履歴を操作部１３３に表示するか否かを設定する画面である。ここでＯＮボタンが選択されているときは、ＭＦＰ１００に最短の距離に位置する携帯端末のアクセス履歴をＭＦＰ１００の操作部１３３に、例えば画面５０３のように表示する。またＯＦＦボタンが選択されているときは、現端末記憶部１６５に記憶している中で一番最近にジョブを実行した携帯端末のアクセス履歴をＭＦＰ１００の操作部１３３に、例えば画面５０３のように表示する。
【００４３】
図９（Ｃ）は、削除設定画面で、図８（Ａ）の携帯端末ログ登録画面のＯＦＦボタンが選択されているときに設定する画面である。これは、アクセス履歴をログ情報として登録しないが、アクセス履歴を削除する条件を選択する画面である。ここで「未登録」ボタンが選択されているときは、ログ情報１４４にアクセス履歴として登録しないことを示す。「通信切れ削除」ボタンが選択されているときは、ＭＦＰ１００と通信している携帯端末のアクセス履歴のみがログ情報１４４に存在することを示す。そしてＭＦＰ１００と携帯端末との通信が検出できなくなると、その携帯端末のアクセス履歴がログ情報１４４から削除される。「ジョブ切替削除」ボタンが選択されているときは、ログ情報１４４で新規にアクセスが確認された場合、或いはログ情報が追加された場合に、携帯端末との通信を示すアクセス履歴を削除することを示す。
【００４４】
図１０は、実施形態に係るＭＦＰ１００においてログ情報を登録する処理を説明するフローチャートである。尚、この処理は、ＣＰＵ１３０がＲＯＭ１３１に記憶されたプログラムを実行することにより達成される。
【００４５】
まずＳ１で、ＵＲＩ（ＵＲＬ）をどこから入力したかを、入力情報記憶部１５３の情報を基に判断する。Ｓ１で、携帯端末１０１からの入力であると判定するとＳ２に進み、図７に示すように、入力６２３にＫ（携帯端末）を設定した後Ｓ５に進む。またＳ１で、ＭＦＰ１００のお気に入りによる入力であると判定した場合はＳ３に進み、入力６２３にＦ（ＭＦＰ登録）を設定した後Ｓ５に進む。更に、Ｓ１で、ＭＦＰ１００での手入力であると判断した場合はＳ４に進み、入力６２３にＴ（手入力）を設定した後Ｓ５に進む。Ｓ５では、入力情報記憶部１５３より入力されたＵＲＬを使用し、Ｗｅｂ情報取得部１５４が、印刷対象の情報をＷｅｂサーバ１０２からダウンロードしてＳ６に進む。Ｓ６では、プリントデータ作成部１５５が、Ｓ５でダウンロードした情報を基にプリントデータを作成する。そしてプリント依頼部１５６がプリンタ１３５に印刷を依頼してＳ７に進む。
【００４６】
Ｓ７で、図８（Ａ）の携帯端末ログ登録画面でＯＮボタンが選択されているか判定する。ＯＮボタンが選択されていればＳ９に進み、ＯＦＦボタンが選択されているときはＳ８に進む。Ｓ８では、図９（Ｃ）の削除設定画面で「未登録」が選択されているかを判定し、そうであれば本処理を終了する。Ｓ８で、「通信切れ削除」或いは「ジョブ切替削除」が選択されているＳ９に進む。
【００４７】
Ｓ９では、Ｓ１と同様に、どこからの入力によるかを判定し、入力がＫ（携帯端末）であればＳ１０に進み、入力をＫ（携帯端末）としてログ生成部１５７でログ情報を生成する。そしてＳ１３に進み、その携帯端末を特定する端末ＩＤをログ生成部１５７で生成してログ登録部１５８で登録して、この処理を終了する。またＳ９で、入力がＦ（ＭＦＰ登録）であればＳ１１に進み、入力をＭＦＰ１００としてログ生成部１５７でログ情報を生成してログ登録部１５８でログ情報を登録する。またＳ９で、入力がＴ（手入力）であると判定した場合はＳ１２に進み、手入力としてログ生成部１５７でログ情報を生成し、ログ登録部１５８で登録して、この処理を終了する。
【００４８】
こうしてＭＦＰ１００を介してアクセスされたログ情報が、例えば図７に示すように、ハードディスク１３７にログ情報１４４として登録される。
【００４９】
図１１（Ａ）は、ユーザがＭＦＰ１００を操作してプリント依頼したアクセス履歴が図６で示したアクセス履歴画面で表示されるまでの処理を説明するフローチャートである。尚、この処理はＣＰＵ１３０がＲＯＭ１３１に記憶されたプログラムに基づいて実行することにより達成される。
【００５０】
まずＳ２０で、履歴画面の選択処理を実施し、ＭＦＰ１００で表示する場合の履歴画面および携帯端末１０１で表示する場合の履歴画面を取得する。次にＳ３０に進み、履歴画面表示処理を実施し、ＭＦＰ１００で表示する場合の履歴画面および携帯端末１０１で表示する場合の履歴画面の表示内容の編集処理を実施し、本処理を終了する。
【００５１】
図１１（Ｂ）は、図１１（Ａ）のＳ２０の処理を示すフローチャートである。
【００５２】
まずＳ２１で、ＭＦＰ１００が携帯端末（複数台想定）からアクセスされているかを携帯端末検出部１６４で検出し、現端末記憶部１６５に記憶されている携帯端末があるかを判定する。Ｓ２１でアクセスされている携帯端末がある場合はＳ５０に進み、携帯端末アクセス時の履歴画面選択処理を実施して処理を終了する。一方、Ｓ２１で、アクセスされている携帯端末がない場合はＳ４０に進み、携帯端末非アクセス時の履歴画面選択処理を実施して本処理を終了する。
【００５３】
図１２は、図１１（Ｂ）のＳ４０の処理を示すフローチャートである。
【００５４】
まずＳ４１で、携帯端末からのＵＲＬ表示の設定値（図８（Ｂ））を判定する。この判定でＯＦＦボタンが選択されている場合はＳ４２に進み、ＭＦＰ１００の表示画面の設定をアクセス履歴画面（制限表示）５０２（図６（Ｂ））の表示スタイルに決定してＳ４４に進む。一方、Ｓ４１の判定でＯＮボタンが選択されていると判定した場合、ＭＦＰ１００の表示画面の設定をアクセス履歴画面（全表示）５０１（図６（Ａ））と決定してＳ４４に進む。Ｓ４４では、携帯端末の表示部への表示を行わないようにする。
【００５５】
この処理により、図８（Ｂ）のＵＩ画面で、携帯端末から入力されたＵＲＬを表示しないように設定されていると、図６（Ｂ）に示すように、ＭＦＰ１００で、携帯端末からのアクセス履歴のＵＲＬをマスクして表示するように制御できる。
【００５６】
図１３は、図１１（Ｂ）のＳ５０（携帯端末からのアクセス中）の処理を説明するフローチャートである。
【００５７】
まずＳ５１で、Ｍｙアクセス履歴を携帯端末に通知するかどうかの設定値（図８（Ａ））を判定する。ここでＯＮボタンが選択されていると判定した場合はＳ５３に進み、通信中の携帯端末１０１に表示するＭｙアクセス履歴画面（携帯端末）（例えば図６（Ｄ））を決定してＳ５４に進む。一方、Ｓ５１でＯＦＦボタンが選択されていると判定した場合はＳ５２に進み、携帯端末１０１にＭｙアクセス履歴画面を表示しない設定であると決定してＳ５４に進む。Ｓ５４では、Ｍｙアクセス履歴表示設定（図８（Ｃ））がＯＮ（表示する）に設定されているかどうかを判定する。ここでＯＮであると判定するとＳ５５に進み、ＭＦＰ１００がＭｙアクセス履歴画面選択処理を実施して、この処理を終了する。
【００５８】
一方、Ｓ５４でＭｙアクセス履歴表示がＯＦＦに設定されていると判定するとＳ５６に進み、携帯端末ＵＲＬ表示（図８（Ｂ））の設定内容を判断する。ここで携帯端末からのＵＲＬを表示するように設定されていると判定するとＳ５７に進み、ＭＦＰ１００の表示画面の設定をアクセス履歴画面（全表示：図６（Ａ））であるとして処理を終了する。またＳ５６で、携帯端末からのＵＲＬ表示を行わないように設定されていると判定するとＳ５８に進み、ＭＦＰ１００の表示画面の設定をアクセス履歴画面（制限表示：図６（Ｂ））であるとして、この処理を終了する。
【００５９】
この処理により、図８に示すＵＩ画面の設定に応じて、ＭＦＰと通信中の携帯端末の表示部に、例えば図６（Ｄ）のようにアクセス履歴を表示できる。更に、ＭＦＰと通信中の携帯端末からのＵＲＬが、ＭＦＰ１００の操作部１３３に表示されるか否かが切り替えられて、例えば図６（Ａ），図６（Ｂ）のように表示できる。
【００６０】
図１４は、図１３のＳ５５の処理を説明するフローチャートである。
【００６１】
まずＳ３１で、最短携帯端末アクセス履歴表示（図９（Ｂ））の設定値を判定する。Ｓ３１で、最短携帯端末アクセス履歴表示の設定値がオンであると判定するとＳ３２に進み、アクセスしている携帯端末は最短端末記憶部１６３に登録されているＭＦＰ１００に一番近い携帯端末かどうかを判定する。一方、Ｓ３１で、最短携帯端末アクセス履歴表示の設定値がオフであると判定するとＳ３４に進む。Ｓ３２で、ＭＦＰ１００に一番近い携帯端末であると判断した場合はＳ３３に進む。Ｓ３３では、ＭＦＰ１００の表示画面の設定をアクセス履歴画面の表示を依頼している携帯端末のアクセス履歴を表示するＭｙアクセス履歴画面の表示（図６（Ｃ））であると判断して処理を終了する。
【００６２】
これにより、図９（Ｂ）でオンに設定されていると、最短の距離にある携帯端末からのアクセス履歴を表示できる。
【００６３】
一方、Ｓ３２で、ＭＦＰ１００に一番近い携帯端末でないと判断した場合はＳ３４に進み、アクセスしている携帯端末のアクセス履歴がログ情報１４４に存在するか否かを判定する。ここでアクセスしている携帯端末のアクセス履歴がログ情報に存在すると判断した場合はＳ３５に進む。Ｓ３５では、ＭＦＰ１００にアクセスしている携帯端末の中で最も最近実行した携帯端末のアクセス履歴を表示するＭｙアクセス履歴画面（図６（Ｃ））であると判断して、処理を終了する。一方、Ｓ３４で、アクセスしている携帯端末のアクセス履歴がログ情報に存在しないと判断した場合はＳ３６に進み、何もアクセス履歴を表示しないＭｙアクセス履歴画面であると判断して処理を終了する。
【００６４】
これによりＭＦＰ１００は、通信中の携帯端末からのアクセス履歴を操作部に表示でき、その中でも最近のアクセス履歴を表示できる。
【００６５】
図１５は、図１１のＳ３０の処理を説明するフローチャートである。
【００６６】
まずＳ６１で、図１１のＳ２０の履歴画面選択処理の中で選択した表示画面のスタイルが、アクセス履歴画面か、Ｍｙアクセス履歴画面かを判定する。アクセス履歴画面であると判定するとＳ６２に進み、アクセス履歴画面処理を実行して処理を終了する。一方、Ｓ６１で、Ｍｙアクセス履歴画面であると判定するとＳ６３に進み、Ｍｙアクセス履歴画面処理に進んで処理を終了する。
【００６７】
図１６は、図１５のＳ６２で、アクセス履歴画面画面（全表示）やアクセス履歴画面（制限表示）を表示する処理を示すフローチャートである。
【００６８】
まずＳ７１で、ハードディスク１３７に登録されているログ情報１４４からアクセス履歴を抽出する。次にＳ７２に進み、アクセス履歴から「日時」情報（図７の６２１）を抽出する。次にＳ７３に進み、アクセス履歴から「入力」情報（図７の６２３）を取得する。次にＳ７４に進み、アクセス履歴から「ＵＲＩ（ＵＲＬ）」情報（図７の６２４）を取得する。次にＳ７５に進み、図８（Ｂ）のＵＩ画面で、携帯端末でＵＲＬを表示するように設定されているか否かを判定する。ここで設定内容がＯＦＦ（表示しない）であればＳ７６に進み、ＯＮ（表示する）であればＳ７８に進む。Ｓ７６では、Ｓ７３で取得した「入力」がＫ（携帯端末）であるか否かを判定する。入力が携帯端末であればＳ７７に進み、Ｓ７４で取得した「ＵＲＩ（ＵＲＬ）」情報をマスク（「----」）してＳ７９に進む。一方、Ｓ７６で「入力」がＫ（携帯端末）でない場合はＳ７８に進む。Ｓ７８では、Ｓ７４で取得した「ＵＲＩ（ＵＲＬ）」情報をそのまま加工せずにＳ７９進む。Ｓ７９では、アクセス履歴表示画面に「日時」「入力」を表示し、「ＵＲＩ（ＵＲＬ）」に関してはＳ７７或いはＳ７８で決定された表示情報に従って表示する。次にＳ８０で、ログ情報に次のアクセス履歴があるか判定する。Ｓ８０で次のアクセス履歴があると判断した場合はＳ７１に戻って、次のアクセス履歴を取得を行う。一方、Ｓ８０で次のアクセス履歴がないと判断した場合は、この処理を終了する。
【００６９】
この処理により、図８（Ｂ）のＵＩ画面の設定に基づいて、例えば図６（Ａ），図６（Ｂ）のように、携帯端末からアクセスされたＵＲＬを表示するか、或いは表示しないか決定してＭＦＰでアクセス履歴を表示することができる。
【００７０】
図１７は、図１５のＳ６３のＭｙアクセス履歴画面やＭｙアクセス履歴画面（携帯端末）を表示する処理を示すフローチャートである。
【００７１】
まずＳ９１で、Ｍｙアクセス履歴画面（携帯端末）（図６（Ｄ））の表示要求か否かを判定する。ここで携帯端末へのＭｙアクセス履歴画面の表示要求であると判定した場合はＳ９２に進み、アクセスしてきた携帯端末１０１のアクセス履歴を表示対象として決定する。一方、Ｓ９１で携帯端末へのＭｙアクセス履歴画面の表示要求でないと判定するとＳ９３に進み、アクセスしてきた携帯端末の種類を判定する。Ｓ９３で、アクセスしてきた携帯端末の種類が最短端末記憶部１６３に記憶されている携帯端末であると判定するとＳ９４に進み、最短端末記憶部１６３に記憶されている携帯端末のアクセス履歴を表示対象に決定してＳ９６に進む。一方、Ｓ９３で、アクセスしてきた携帯端末の種類が最新端末記憶部１６６に記憶されている、最近にジョブを実行した携帯端末であると判定するとＳ９５に進む。Ｓ９５では、最新端末記憶部１６６に記憶されている携帯端末のアクセス履歴を表示対象として決定してＳ９６に進む。一方、Ｓ９３で、携帯端末がその他のユーザである場合は、表示対象なしと決定してＳ９６に進む。
【００７２】
Ｓ９６では、Ｓ９２，Ｓ９４，Ｓ９５のいずれかで表示対象として決定された携帯端末があれば、その携帯端末からのアクセス履歴をログ情報から取得する。次にＳ９７に進み、Ｓ９６で取得したアクセス履歴から「日時」情報を取得する。次にＳ９８に進み、そのアクセス履歴から「入力」情報を取得する。次にＳ９９に進み、そのアクセス履歴から「ＵＲＩ（ＵＲＬ）」情報を取得する。次にＳ１００〜Ｓ１０２で、アクセス履歴表示画面に対して「日時」「入力」「ＵＲＩ（ＵＲＬ）」情報を表示する。次にＳ１０３に進み、ログ情報に次にアクセス履歴があるか判定する。ここで次のアクセス履歴があると判断するとＳ９６に戻り、表示対象として決定された携帯端末のアクセス履歴ログの取得を行う。一方、Ｓ１０３で、次のアクセス履歴がないと判断した場合は、この処理を終了する。またＳ９３で、表示対象なしと決定した場合は、そのままこの処理を終了しても良い。
【００７３】
この処理により、ＭＦＰ１００は、通信中の携帯端末に対して、その携帯端末用のＭｙアクセス履歴の表示画面を作成して送信することができる。これにより携帯端末は、自端末でアクセスした履歴を、例えば図６（Ｄ）のように、その携帯端末の表示部に表示できる。更に、ＭＦＰ１００から最短距離にある携帯端末、或いは最近、ＭＦＰ１００にジョブを発行した携帯端末の表示部に、その携帯端末からのアクセス履歴を表示することができる。
【００７４】
図１８は、実施形態のＭＦＰでログ情報からアクセス履歴を削除する処理を説明するフローチャートである。尚、この処理はＣＰＵ１３０がＲＯＭ１３１に記憶されたプログラムを実行することにより達成される。
【００７５】
まずＳ１１１で、図８（Ａ）の携帯端末へのログ登録の状態を判定する。Ｓ１１１で、携帯端末ログ登録がオンに設定されていると削除対象外であるためＳ１１９に進む。一方、Ｓ１１１で携帯端末ログの登録がオフに設定されている（登録しない）とＳ１１２に進む。Ｓ１１２では、図９（Ｃ）の削除タイミングの登録が「未登録」に設定されているかどうかを判定をする。ここで削除設定が「未登録」であればＳ１１９に進む。一方、Ｓ１１２で、削除設定が「未登録」に設定されていない場合はＳ１１３に進む。Ｓ１１３で、削除設定が「通信切れ削除」に設定されているかどうかを判定し、そうでなければＳ１１６に進む。Ｓ１１３で削除設定が「通信切れ削除」に設定されている場合はＳ１１４に進み、通信切れの携帯端末があるかどうかを判定する。あればＳ１１５に進み、その通信切れの携帯端末のアクセス履歴をジョブ情報から削除する。
【００７６】
次にＳ１１６に進み、削除設定が「ジョブ切替削除」に設定されているかどうか判定し、そうであればＳ１１７に進む。一方、Ｓ１１６で、削除設定が「ジョブ切替削除」でない場合はＳ１１９に進む。Ｓ１１７では、ジョブの切替が検出されたかどうかを判定する。ジョブの切替が検出されなかった場合はＳ１１９に進むが、ジョブの切替が検出されるとＳ１１８に進み、その携帯端末のアクセス履歴を全て削除する。そしてＳ１１９に進み、ログ情報を記録できる状態であるか否かを確認する。ここでログ操作可能な状態であると判定するとＳ１１１に進む。一方、Ｓ１１９で、そうでないと判定すると、この処理を終了する。
【００７７】
このようにして、例えば図９（Ｃ）のＵＩ画面で設定した内容に従って、携帯端末からのアクセス履歴を記録した、その携帯端末のログ情報を自動的に削除することができる。これにより、ログ情報を残したくない携帯端末のログ情報を、その携帯端末とＭＦＰとの通信が切断されたとき、或いはジョブを切り替えたときに、ＭＦＰのログ情報から自動的に削除することができる。
【００７８】
尚、上記実施形態では、携帯端末からのジョブを特定する情報の一部である、アクセス先のＵＲＬを非表示にする場合で説明したが本発明はこれに限定されるものでなく、例えば携帯端末の電話番号、ＩＤ、アクセスの日時などを非表示にしても良い。
【００７９】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
0005513107.tif 000002
【図２】
0005513107.tif 000003
【図３】
0005513107.tif 000004
【図４】
0005513107.tif 000005
【図５】
0005513107.tif 000006
【図６】
0005513107.tif 000007
【図７】
0005513107.tif 000008
【図８】
0005513107.tif 000009
【図９】
0005513107.tif 000010
【図１０】
0005513107.tif 000011
【図１１】
0005513107.tif 000012
【図１２】
0005513107.tif 000013
【図１３】
0005513107.tif 000014
【図１４】
0005513107.tif 000015
【図１５】
0005513107.tif 000016
【図１６】
0005513107.tif 000017
【図１７】
0005513107.tif 000018
【図１８】
0005513107.tif 000019